(57)【特許請求の範囲】
【請求項１】
通過ガス流量を測定する流量測定手段と、ガス通路を遮断する遮断弁と、前記遮断弁を開閉駆動する駆動回路と、前記遮断弁として使用が想定される遮断弁ごとに対応して設けられ、対応する遮断弁の特性に適合して設定された複数の制限抵抗と、前記複数の制限抵抗のうち、実際に使用される遮断弁に適合する制限抵抗をあらかじめ選択する切替手段と、前記切替手段により選択された制限抵抗を介して前記遮断弁に開閉動作なしに電圧を印加する制限駆動回路と、前記制限駆動回路を動作させたときの前記遮断弁の過渡応答を入力し、前記過渡応答の状況を検知して出力する過渡応答検知部と、全体の動作を制御する制御部と、電源としての電池とを備え、前記制御部は、前記流量測定手段によって異常な流量パターンを検出したときには前記駆動回路により前記遮断弁を閉状態にし、また、必要に応じて前記切替手段で選択された制限抵抗を用いて前記制限駆動回路を動作させ、前記過渡応答検知部により検知した過渡応答の状況に基づいて前記遮断弁の開閉状態を検知するようにしたガス遮断装置。
【請求項２】
切替手段はプリント配線盤上に配された複数のジャンパ線で構成された請求項１記載のガス遮断装置。
【発明の詳細な説明】
【０００１】
【発明の属する技術分野】
本発明は、ガスの事故を未然に防止するガス遮断装置に関する。
【０００２】
【従来の技術】
一旦発生すれば大惨事になる可能性が高いガス事故を未然に防止するために、従来から種々の安全装置が利用されており、中でもガスメータに内蔵された流量センサによりガスの流量を監視し、マイクロコンピュータによりガスの使用状態が異常使用であると判断した場合や、地震センサ、ガス圧力センサ、ガス警報器などのセンサの状況を監視して危険状態であると判断した場合に、前記ガスメータに内蔵された遮断弁によりガスを遮断するようにした電池電源によるマイクロコンピュータ搭載のガス遮断装置を内蔵したガスメータ（以下、マイコンメータと称す）が、安全性、ガス配管の容易性、低価格などの優位性の点から普及が促進され、近年は全世帯普及が実施されるに至っている。また、前記流量センサによって計測されたガス流量情報を電話回線などを利用して集中監視するテレメータ機能を備えた集中監視型のマイコンメータの比率も増加し、情報端末として利便性の向上がますます求められている。
【０００３】
このガス遮断装置の遮断弁として、電池の電力消耗を抑えるため、遮断動作時または復帰動作時のみ電流を流し、その他の場合は永久磁石の吸引力とスプリングの反力とのバランスにより開状態または閉状態を保持するようにした自己保持型の電磁弁が一般的に使用されている。しかし、この遮断弁は、衝撃などが与えられた場合に開閉状態が変化すると言う誤動作が発生する可能性がある。そこで、遮断弁の動作確認や衝撃などによる状態変化を検知して通報したり誤動作を修正するために、遮断弁の開閉状態検知手段を備えたガス遮断装置が求められている。
【０００４】
以下、従来のガス遮断装置について説明する。上記のように遮断弁の開閉状態を検知する手段を備えたガス遮断装置が特開平７−５５０５２号公報に開示されている。図６はそのガス遮断装置の構成を示す回路図である。図６において、１０１は等価抵抗１０２と等価インダクタンス１０３とからなり、ガス通路を遮断する遮断弁、１０４はトランジスタ１０５と抵抗１０６とから構成され、遮断弁１０１を開閉駆動する駆動回路、１０７は制限抵抗１０８とトランジスタ１０９と抵抗１１０とから構成され、制限抵抗１０８を介して遮断弁１０１に電圧を印加する制限駆動回路、１１１は抵抗１１２と抵抗１１３と抵抗１１４とコンパレータ１１５とで構成され、前記制限駆動回路１０７を動作させたときの遮断弁１０１の過渡応答を入力し、過渡応答の状況を検知して出力する過渡応答検知部、１１６は通過ガス流量を測定する流量測定手段、１１７は流量測定手段１１６によって異常な流量パターンを検知すると駆動回路１０４を駆動して遮断弁１０１を閉状態にするとともに、制限駆動回路１０７を動作させ、過渡応答検知部１１１により検知した過渡応答の状況に基づいて遮断弁１０１の開閉状態を検知する制御部、１１８は制御状態を表示する表示部、１１９は電源としての電池である。
【０００５】
遮断弁１０１において、等価抵抗１０２は電磁コイルの等価抵抗であり、等価インダクタンス１０３は前記電磁コイルの等価インダクタンスである。この等価インダクタンス１０３の値は遮断弁１０１の開閉状態によって差があり、開状態における値をＬ1、閉状態における値をＬ2とするとＬ1＞Ｌ2である。また、過渡応答検知部１１１において、抵抗１１２と抵抗１１３とはコンパレータ１１５の基準電位を設定し、抵抗１１４はコンパレータ１１５の出力をプルアップしている。なお、制限駆動回路１０７は制限抵抗１０８を介して遮断弁１０１に電圧を印加して過渡応答を出力させるための手段であって、電流が小さいので遮断弁１０１を開閉することはない。
【０００６】
上記構成のガス遮断装置の動作について説明する。図７は制限駆動回路１０７を動作させたときに過渡応答検知部１１１に入力される過渡応答を示す特性図である。遮断弁１０１を開閉した直後などに制限駆動回路１０７を動作させたとき、過渡応答検知部１１１のコンパレータ１１５に入力される過渡応答は、遮断弁１０１の開閉状態で等価インダクタンス１０３の値に差があるため、図７に示したように、遮断弁１０１の開閉状態に対応した波形になる。コンパレータ１１５の基準電位をＶrefとすると、制限駆動回路１０７が動作し始めてからコンパレータ１１５に入力される過渡応答の電位が前記基準電位Ｖrefより低くなる時間を遮断弁１０１の閉状態時にＴ1、開状態時にＴ2とすると、遮断弁１０１の等価インダクタンス１０３が前述のようにＬ1＞Ｌ2であるため、Ｔ1＞Ｔ2となる。
【０００７】
制御部１１７にはタイマが組み込まれており、ＲＯＭ（読み出し専用記憶装置）などに書き込まれた前記タイマのプログラムに、Ｔ1とＴ2のほぼ中間の判定時間Ｔ3が設定されていて、制限駆動回路１０７を駆動し始めてから判定時間Ｔ3を経過した時点のコンパレータ１１５の出力電位を取り込み、出力電位がＨ（高電位）である場合は遮断弁１０１が閉状態にあると判定し、Ｌ（低電位）である場合は遮断弁１０１が開状態にあると判定する。
【０００８】
【発明が解決しようとする課題】
このようなガス遮断装置においては、遮断弁１０１の開閉状態を確実に検知できることが要求される。一方、遮断弁１０１は省電力で確実に開閉動作することを重点に設計されるため、開閉状態の等価インダクタンス１０３の値を所定値にする設計が困難になる。そのため、設計が修正されたり、メーカの異なる場合には等価インダクタンス１０３の値が統一されずに幾通りにもなるのが一般的である。この場合、上記従来の構成では、制御部１１７のＲＯＭには焼き付け手段で所定の判定時間Ｔ3が設定されているため、遮断弁１０１の設計が変更されたり、異なるメーカの遮断弁を併用する場合、制御部１１７は開閉状態を誤って検知してしまう可能性がある。そのため、異なる仕様やメーカの遮断弁を併用する場合は、それぞれに適した判定時間が設定された制御部を仕様やメーカごとに準備する必要があり、このガス遮断装置をガスメータなどに組み込むセットメーカの負担が増大すると言う問題があった。
【０００９】
本発明は上記の課題を解決するもので、異なる仕様やメーカの遮断弁を併用する場合でも、１種類の制御部で確実に遮断弁の開閉状態を検知できるガス遮断装置を提供することを目的とする。
【００１０】
【課題を解決するための手段】
本発明は、通過ガス流量を測定する流量測定手段と、ガス通路を遮断する遮断弁と、前記遮断弁を開閉駆動する駆動回路と、前記遮断弁として使用が想定される遮断弁ごとに対応して設けられ、対応する遮断弁の特性に適合して設定された複数の制限抵抗と、前記複数の制限抵抗のうち、実際に使用される遮断弁に適合する制限抵抗をあらかじめ選択する切替手段と、前記切替手段により選択された制限抵抗を介して前記遮断弁に開閉動作なしに電圧を印加する制限駆動回路と、前記制限駆動回路を動作させたときの前記遮断弁の過渡応答を入力し、前記過渡応答の状況を検知して出力する過渡応答検知部と、全体の動作を制御する制御部と、電源としての電池とを備え、前記制御部は、前記流量測定手段によって異常な流量パターンを検出したときには前記駆動回路により前記遮断弁を閉状態にし、また、必要に応じて前記切替手段で選択された制限抵抗を用いて前記制限駆動回路を動作させ、前記過渡応答検知部により検知した過渡応答の状況に基づいて前記遮断弁の開閉状態を検知するようにしたガス遮断装置である。
【００１１】
本発明によれば、異なる仕様やメーカの遮断弁を併用する場合でも、複数の制限抵抗のうち、実際に使用する遮断弁の電気特性に適合する抵抗を切替手段によりあらかじめ選択し、その制限抵抗を用いて制限駆動回路で動作させたときの過渡応答の状況を過渡応答検知部で検知し、その結果に基づいて遮断弁の開閉状態を検知するので、１種類の制御部で遮断弁の開閉状態を確実に検知できるガス遮断装置を提供することができる。なお、複数の制限抵抗を選択するとき、抵抗を組み合せる選択も可能である。
【００１２】
【発明の実施の形態】
請求項１に係わる本発明は、通過ガス流量を測定する流量測定手段と、ガス通路を遮断する遮断弁と、前記遮断弁を開閉駆動する駆動回路と、前記遮断弁として使用が想定される遮断弁ごとに対応して設けられ、対応する遮断弁の特性に適合して設定された複数の制限抵抗と、前記複数の制限抵抗のうち、実際に使用される遮断弁に適合する制限抵抗をあらかじめ選択する切替手段と、前記切替手段により選択された制限抵抗を介して前記遮断弁に開閉動作なしに電圧を印加する制限駆動回路と、前記制限駆動回路を動作させたときの前記遮断弁の過渡応答を入力し、前記過渡応答の状況を検知して出力する過渡応答検知部と、全体の動作を制御する制御部と、電源としての電池とを備え、前記制御部は、前記流量測定手段によって異常な流量パターンを検出したときには前記駆動回路により前記遮断弁を閉状態にし、また、必要に応じて前記切替手段で選択された制限抵抗を用いて前記制限駆動回路を動作させ、前記過渡応答検知部により検知した過渡応答の状況に基づいて前記遮断弁の開閉状態を検知するようにしたガス遮断装置である。
【００１３】
本発明において、制限駆動回路は、制限抵抗を介して遮断弁に開閉動作なしに電圧を印加する手段である。
【００１４】
各制限抵抗は、使用が想定される遮断弁の電気的特性に適合した抵抗値が得られるように設定されており、対応する遮断弁と組み合わせて前記制限駆動回路を動作させたときには遮断弁から同じ過渡応答が出力されるようにでき、したがって、使用やメーカが異なる遮断弁を併用する場合でも、１種類の制御部で遮断弁の開閉状態を検知することができる。なお、遮断弁に対して１つの制限抵抗が適合するように設定してもよいが、複数の抵抗を合成した制限抵抗が適合するようにしてもよい。
【００１５】
切替手段は複数の制限抵抗のうち、使用される遮断弁に適合する制限抵抗をあらかじめ選択する手段であり、実施の形態ではすべての制限抵抗をジャンパ線を介して接続しておき、不要な制限抵抗のジャンパ線を切断して必要な制限抵抗のみ残すことで選択するようにしている。この場合、複数の制限抵抗を残すことにより、それらの合成抵抗による制限抵抗も可能になる。したがって、本発明における切替手段は、単に１つの抵抗を選択する手段に限定されるものではない。
【００１６】
過渡応答検知部は遮断弁の過渡応答の状況を検知する手段であり、実施の形態では、制限駆動回路を動作させたときの遮断弁の過渡応答の電位を所定の基準電位と比較して、過渡応答の電位が前記基準電位より高いか低いかを時間経過で出力する手段とする。この出力は過渡応答の電位の時間変化を過渡応答の状況として検出したものである。なお、この過渡応答検知部は、抵抗分割で生成した基準電位とコンパレータとで構成でき、比較結果をＨレベルまたはＬレベルの信号を出力する。また、基準電位をコンパレータの正入力端子と負入力端子のいずれに設定するかで比較結果が反転し、実施の形態では正入力端子を基準電位としているが、これに限定されるものではない。
【００１７】
制御部はマイクロコンピュータなどで構成され、全体の動作を制御するが、とくに通過ガス流量が異常な流量パターンであるときには遮断弁を閉状態として安全を確保するように作用し、また、遮断弁の動作確認のために、切替手段で選択されている制限抵抗を用いて前記制限駆動回路を動作させ、前記過渡応答検知部が検知した遮断弁の過渡応答の状況に基づいて開閉状態を判断する手段である。この場合、前記制限駆動回路が動作し始めてから所定の判定時間を経過して時点の過渡応答検知部の出力がＨレベルであるかＬレベルであるかにより判定するが、これには遮断弁の開状態と閉状態とで過渡応答が異なることを利用している。
【００１８】
以上の各作用により、判定時間が固定され、かつ異なる仕様やメーカの遮断弁を併用する場合でも、同じ過渡応答が出力されることにより、１種類の制御部で遮断弁の開閉状態を確実に検知することができる。
【００１９】
請求項２に係わる本発明において、切替手段はプリント配線盤上に配された複数のジャンパ線で構成された請求項１に係わるガス遮断装置である。
【００２０】
本発明において、切替手段はあらかじめ制限抵抗に直列に接続されたジャンパ線で構成され、前記ジャンパ線を切断することにより使用しない制限抵抗を除外し、残りの制限抵抗が使用される。
【００２１】
以上の構成により、異なる仕様やメーカの遮断弁を併用する場合、それぞれに適した複数の制限抵抗をプリント配線盤上に準備し、遮断弁の仕様やメーカに応じてこれら制限抵抗を安価なジャンパ線を複数準備し工場での組立時などのそれらジャンパ線を切断して切り替えることによって、接触抵抗のばらつきのあるスイッチなどの手段と比較して安定に所定の制限抵抗に切り替えることができ、また、ジャンパ線の切断有無の組み合せで多くの抵抗値を設定できるため、判定時間が固定し、かつ異なる仕様やメーカの遮断弁を併用する場合でも、１種類の制御部で遮断弁確実な開閉状態を検知でき、かつ安価で安定したガス遮断装置を提供することができる。
【００２２】
以下、本発明の具体的な実施例について説明する。
【００２３】
【実施例】
（実施例１）
以下、本発明のガス遮断装置の実施例１について図面を参照しながら説明する。本実施の形態は請求項１に係わる。
【００２４】
図１は本実施例の構成を示す回路図である。図において、１は遮断弁であり、仕様またはメーカが異なる遮断弁を使用する場合は、一方を１ａ、他方を１ｂとする。２は遮断弁１における電磁コイルの等価抵抗、３は前記電磁コイルの等価インダクタンス、４はトランジスタ５と抵抗６とで構成され、遮断弁１を開閉駆動する駆動回路、７は第１の制限抵抗、８は第２の制限抵抗、９は第１の制限抵抗７と第２の制限抵抗８をあらかじめ切り替えて選択する切替手段、１０はトランジスタ１１と抵抗１２とで構成され、切替手段９が選択した第１の制限抵抗７または第２の制限抵抗８を介して遮断弁１に電圧を印加する制限駆動回路、１３は抵抗１４と抵抗１５と抵抗１６とコンパレータ１７とで構成され、制限駆動回路１０が第１の制限抵抗７または第２の制限抵抗８のいずれかを介して遮断弁１に電圧を印加したときの遮断弁１の過渡応答を入力して所定の基準電位と比較し、その結果を出力する過渡応答検知部、１８は通過ガス流量を測定する流量測定手段である。
【００２５】
また、１９は流量測定手段１８の流量信号が異常な流量パターンである場合に駆動回路４を駆動して遮断弁１でガス通路を遮断するとともに、遮断弁１の開閉状態を検知したいときに切替手段９で選択された制限抵抗を用いて制限駆動回路１０を動作させ、過渡応答検知部１３の出力に基づいて遮断弁１の開閉状態を検知する制御部、２０は制御部１９から遮断弁１の開閉状態を外部に報知する報知手段、２１はガス遮断装置全体の電源としての電池である。
【００２６】
上記構成において、遮断弁１は従来例における遮断弁１０１と実質同じである。また、第１の制限抵抗７と第２の制限抵抗８は、あらかじめ想定される２種類の遮断弁１の主として等価インダクタンス３に対応した適切な値が各々設定されている。また、過渡応答検知部１３において、抵抗１４と抵抗１５とは制限駆動回路１０を動作させたときにコンパレータ１７の基準電位を生成し、抵抗１６はコンパレータ１７の出力をプルアップしている。なお、本実施の形態においては、切替手段９は第１の制限抵抗７と第２の制限抵抗８のいずれかに切り替えて一方を選択する場合について説明するが、これに限定されないことは言うまでもない。
【００２７】
図２は本実施の形態における遮断弁１の概略構成を示す断面図である。図２（ａ）は遮断弁１の開状態、図２（ｂ）は遮断弁１の閉状態を示す。図２において、永久磁石２２と継鉄２３と可動鉄芯２４とで磁気回路が形成され、この磁気回路を励磁可能な電磁コイル２５と、可動鉄芯２４の一端に配された弁体２６と、弁体２６を閉弁方向に付勢するスプリング２７とにより遮断弁１が構成されている。図２に示したように、遮断弁１は開状態と閉状態とで可動鉄芯２４の位置が違うために、等価インダクタンス３の値に差がある。開状態における等価インダクタンス３の値をＬ１、閉状態における値をＬ２とすると、Ｌ１＞Ｌ２となる。
【００２８】
上記構成のガス遮断装置の動作について説明する。いま、遮断弁１は併用される２種類のうちの一方の遮断弁１ａであるとする。通常状態において遮断弁１ａは、図２（ａ）に示したように、可動鉄芯２４が電磁コイル２５内に入り込んだ状態となって開弁しており、その状態は可動鉄芯２４が永久磁石２２に吸着されることにより保持され、その結果、ガス通路が開放されてガスを使用できる状態になっている。一方、制御部１９は流量測定手段１８により異常な流量パターンを検知すると駆動回路４を駆動して遮断弁１ａの電磁コイル２５を励磁し、スプリング２７により付勢されて可動鉄芯２４が電磁コイル２５から突出し、図２（ｂ）に示し閉状態になる。
【００２９】
図３は過渡応答検知部１３に入力される過渡応答を示す特性図であり、図３（ａ）は切替手段９により選択された第１の制限抵抗７を用いて制限駆動回路１０を動作させたときの過渡応答、図３（ｂ）は切替手段９により選択された第２の制限抵抗８を用いて制限駆動回路１０を動作させたときの過渡応答を示す。
【００３０】
切替手段９により第１の制限抵抗７が選択されている場合、制限駆動回路１０を動作させると過渡応答検知部１３のコンパレータ１７に入力される過渡応答は、遮断弁１ａの開閉状態により等価インダクタンス３の値にＬ1＞Ｌ2の差があるため、図３（ａ）に示したように、遮断弁１ａの開状態と閉状態とに応じた過渡応答になる。いま、第１の制限抵抗７の値をＲ１、遮断弁１の等価抵抗２の値をｒ、等価インダクタンス３の値をＬ、電池２１の電圧をＥとしたとき、トランジスタ１１のＶccsatを無視すると遮断弁１ａの過渡応答の電位Ｖ0は、抵抗Ｒ１、抵抗ｒ、および等価インダクタンスＬによる過渡応答特性から、
【００３１】
【数１】
0003867372.tif 000002
【００３２】
で与えられる。
コンパレータ１７の基準電位をＶrefとすると、制限駆動回路１０が動作し始めてから過渡応答検知部のコンパレータ１７に入力される過渡応答の電位が前記基準電位Ｖrefより低くなるまでの時間を遮断弁１ａの開状態でＴ1、閉状態でＴ2とすると、前述のように遮断弁１ａの等価インダクタンス３の値がＬ1＞Ｌ2であるのでＴ1＞Ｔ2となる。制御部１９は内部にタイマを備え、このタイマにはＲＯＭに焼き付けられたプログラムなどにＴ1とＴ2のほぼ中間の判定時間Ｔ3があらかじめ設定されていて、制限駆動回路１０を駆動し始めてから判定時間Ｔ3を経過したときのコンパレータ１７の出力電位を取り込んで、出力電位がＨ（高電位）である場合は遮断弁１ａが閉状態、Ｌ（低電位）である場合は遮断弁１ａは開状態と判定する。
【００３３】
一方、第２の制限抵抗８の値は、想定されている他の種類の遮断弁１ｂと組み合わせたとき、過渡応答検知部１３のコンパレータ１７に入力する過渡応答が、遮断弁１ａと第１の制限抵抗７とを組み合せたときの過渡応答とほぼ同じになるよう設定されており、切替手段９によって第２の制限抵抗８が選択されている場合に制限駆動回路１０が駆動し始めてからコンパレータ１７に入力する過渡応答の電位が前記基準電位Ｖrefより低くなるまで時間は、遮断弁１ｂの開状態でＴ４、閉状態でＴ５となり、図３（ｂ）に示したように、それぞれＴ4≒Ｔ1、Ｔ5≒Ｔ2となる。したがって、第１の制限抵抗７の場合の判定時間Ｔ3と同じ判定時間Ｔ3で遮断弁１ｂの開閉状態を検知することが可能になる。
【００３４】
ガス遮断装置の組立メーカや管理者は、併用する遮断弁１ａと遮断弁１ｂのいずれを実際に使用するかによって第１の制限抵抗７と第２の制限抵抗８のいずれを使用すべきかを決定し、切替手段９により制限抵抗をあらかじめ選択する。
【００３５】
遮断弁１の開閉した直後や衝撃などの検知情報を得たときなどに遮断弁１の開閉状態を検知する必要がある場合、制御部１９は、制限駆動回路１０を動作させ、過渡応答検知部１３により過渡応答の状況を検知し、その結果に基づいて遮断弁１の開閉状態を検知し、報知手段２０に出力する。
【００３６】
以上のように本実施例のガス遮断装置は、異なる使用やメーカの遮断弁１ａと遮断弁１ｂとを併用する場合、それぞれの特性に適した抵抗値の第１の制限抵抗７と第２の制限抵抗８とを準備し、実際に使用する遮断弁１の仕様やメーカに応じて第１の制限抵抗７と第２の制限抵抗８のいずれかを切替手段９によりあらかじめ選択し、選択された制限抵抗を用いて制限駆動回路１０を動作させ、過渡応答検知部１３により過渡応答の状況を検知し、その結果に基づいて遮断弁１の開閉状態を検知するようにしたことにより、異なる仕様やメーカの遮断弁を併用する場合でも、１種類の制御部で遮断弁１の開閉状態を確実に検知することができる。
【００３７】
なお、本実施例では、併用する遮断弁１が２種類である場合について説明したが、さらに多種類の遮断弁を併用する場合にも、それぞれに適合する制限抵抗を準備して切替手段で選択することにより対応できることは言うまでもない。
【００３８】
また、図４に示したように、遮断弁１に正逆の電流を印加して遮断と復帰とが可能な構成の駆動回路としてもよく、また、第１の制限抵抗７と第２の制限抵抗８を切り替えるとともに、抵抗１５も切り替え可能な抵抗１５ａと抵抗１５ｂとで構成して基準電位を変えるようにしてもよい。この場合、切替手段９ａと切替手段９ｂとは必ずしも連動しなくてよい。
【００３９】
（実施例２）
以下、本発明のガス遮断装置の実施例２について図面を参照しながら説明する。本実施例は請求項２に係わる。
【００４０】
図５は本実施例におけるプリント配線盤上の切替手段９の近傍の配置を示す斜視図である。図５において、７は第１の制限抵抗、８は第２の制限抵抗、９は切替手段、１５は抵抗、１７はコンパレータであり、図１に示した構成要素である。切替手段９は、絶縁物よりなるプリント配線盤２８に設けられた導電体製の回路パターン２９に接続された第１の制限抵抗７と抵抗１５との間のギャップ３０と、第２の制限抵抗８と抵抗１５との間のギャップ３１と、ギャップ３０とギャップ３１をそれぞれ導通するように配された導電体製の第１のジャンパ線３２と第２のジャンパ線３３とで構成される。
【００４１】
この第１のジャンパ線３２と第２のジャンパ線３３を工場で組み立てるときなどに切断することにより、第１の制限抵抗７と第２の制限抵抗８とを切り替えることができる。図５では第２のジャンパ線３３が切断された例を示している。また、第１のジャンパ線３２を切断する場合と、第２のジャンパ線３３を切断する場合と、第１のジャンパ線３２と第２のジャンパ線３３のいずれも切断しない場合との、３通りの組み合せにより、第１の制限抵抗７、第２の制限抵抗８、第１の制限抵抗７と第２の制限抵抗８との並列合成抵抗の３通りの選択が可能である。また、第１のジャンパ線３２、第２のジャンパ線３３は、プリント配線盤２８に実装するときに錫メッキ導線などの線材を切断、成形、装着までを一貫して加工することもできるため、材料費、加工費ともに安価な切替手段９を実現することができる。また、第１のジャンパ線３２および第２のジャンパ線３３は半田付けによって回路パターン２９と導通するように固定されているため、接触抵抗のばらつきのあるスイッチなどの切替手段と比較して安定な導通を得ることができ、過渡応答のばらつきを軽減できる利点がある。
【００４２】
なお、図５に示した本実施例では第１の制限抵抗７、第２の制限抵抗８、抵抗１５、コンパレータ１７を独立した部品としているが、半導体上やハイブリッドＩＣ上に他の素子とともに集積してもよい。また、回路パターン２９と第１のジャンパ線３２と第２のジャンパ線３３とをプリント配線盤２８の同一面上に配した構成について図示したが、それらを表裏面に配した構成としてもよい。
【００４３】
【発明の効果】
請求項１に係わる本発明は、異なる仕様やメーカの遮断弁を併用する場合、それぞれに適した複数の制限抵抗を準備し、遮断弁の仕様やメーカに応じてこれら制限抵抗のうち使用する制限抵抗を切替手段で選択し、この制限抵抗を介して制限駆動回路を動作させ、そのときの遮断弁の過渡応答の状況を過渡応答検知部で検知し、その結果に基づいて遮断弁の開閉状態を検知するようにしたガス遮断装置とすることにより、異なる仕様やメーカの遮断弁を併用する場合でも、１種類の制御部で遮断弁の開閉状態を確実に検知することができる。
【００４４】
請求項２に係わる本発明は、切替手段がプリント配線盤上に配された複数のジャンパ線で構成された請求項１に係わるガス遮断装置とすることにより、異なる仕様やメーカの遮断弁を併用する場合、それぞれに適した複数の制限抵抗をプリント配線盤上に準備し、それらを接続するジャンパ線を遮断弁に適合した抵抗値の制限抵抗が得られるように工場での組立時などに切断して切り替えるだけでよく、接触抵抗のばらつきのあるスイッチなどの手段と比較して安定に所定の制限抵抗に切り替えることができ、また、ジャンパ線を切断する組み合せにより制限抵抗の数以上に多くの制限抵抗値を実現できるため、仕様やメーカのが異なる多くの遮断弁を併用する場合でも１種類の制御部でそれらの遮断弁の開閉状態を確実、安価、かつ安定に検知することができる。
【図面の簡単な説明】
【図１】本発明の実施例１におけるガス遮断装置の構成を示す回路図
【図２】同実施例１における遮断弁の概略構成を示す断面図
【図３】同実施例１における過渡応答を示す特性図
【図４】本発明の実施例１におけるガス遮断装置の他の構成を示す回路図
【図５】本発明の実施例２におけるガス遮断装置のプリント配線盤上の切替手段の近傍を示す斜視図
【図６】従来のガス遮断装置の構成を示す回路図
【図７】同従来例における過渡応答を示す特性図
【符号の説明】
１，１ａ，１ｂ  遮断弁
２，１０２  等価抵抗
３，１０３  等価インダクタンス
４，１０４  駆動回路
５，５ａ，５ｂ，５ｃ，５ｄ，１１，１０５，１０９  トランジスタ
６，６ａ，６ｂ，６ｃ，６ｄ，１２，１０６，１１０，１１２，１１３，１１４  抵抗
７  第１の制限抵抗
８  第２の制限抵抗
９，９ａ，９ｂ  切替手段
１０，１０７  制限駆動回路
１３  過渡応答検知部
１４，１５，１５ａ，１５ｂ，１６  抵抗
１７，１１５  コンパレータ
１８，１１６  流量測定手段
１９，１１７  制御部
２０  報知手段
２１，１１９  電池
２２  永久磁石
２３  継鉄
２４  可動鉄芯
２５  電磁コイル
２６  弁体
２７  スプリング
２８  プリント配線盤
２９  回路パターン
３０，３１  ギャップ
３２  第１のジャンパ線
３３  第２のジャンパ線
１０１  遮断弁
１０８  制限抵抗
１１１  過渡応答検知部
１１８  表示部
【図１】
0003867372.tif 000003
【図２】
0003867372.tif 000004
【図３】
0003867372.tif 000005
【図４】
0003867372.tif 000006
【図５】
0003867372.tif 000007
【図６】
0003867372.tif 000008
【図７】
0003867372.tif 000009